(57)【特許請求の範囲】
【請求項１】
一対のアームを有するシャワー装置本体と、これらアーム、およびシャワー装置に配備され、温水を旋回霧状に噴霧する複数のノズルと、前記ノズルへ至る温水供給系に設けられ、温水に炭酸を溶解させるか、或いは炭酸ガスを混入させる炭酸供給手段と、この炭酸供給手段の作動を発停させる炭酸発停手段とを具備し、炭酸発停手段が炭酸供給手段を作動させている時、温水の温度を炭酸供給手段停止時の温度よりも低下させるようにしたシャワー装置。
【請求項２】
炭酸供給手段を作動させた時、徐々に温水の温度を低下させるようにした請求項１記載のシャワー装置。
【請求項３】
複数のノズルへ至る温水供給系に選択的に炭酸を供給するようにした請求項１または２記載のシャワー装置。
【発明の詳細な説明】
【０００１】
【発明の属する技術分野】
本発明は、炭酸を溶解または混入した湯水を複数の湯水噴出手段から噴出するシャワー装置に関するものである。
【０００２】
【従来の技術】
従来のこの種のシャワー装置（例えば特開平２−２５２４２３公報）を図１１に示す。
【０００３】
図１１において、給湯管１の流れ方向の先端に内部が空洞で密閉型の茄子形形状をしたシャワーヘッド本体２を取り付け、シャワーヘッド本体２の平坦な一側面は小口径の孔を多数個開けて噴射口３としてある。また、シャワーヘッド本体１の内部中央には接続金具４およびラセン形状をした細管の絞り５が取り付けられており、絞り５は接続金具４と連通されており、また、絞り５の他端は開放れている。
【０００４】
小型の炭酸ガスボンベ６は接続金具４に接続される。シャワーヘッド本体２の頂部に設けた蓋７は、炭酸ガスボンベ６の取り外しのために設けられたものである。
【０００５】
以上構成において、炭酸水シャワーの生成機構は以下のようになっている。給湯管１からシャワーヘッド本体２へ流入した湯水は、噴出口３よりシャワーとなって噴出される。このとき、給湯管１より湯水の供給に先立って、蓋７を開け、炭酸ガスボンベ６を接続金具４へ接続することにより、炭酸ガスボンベ６のストッパーが外れ、その結果炭酸ガスボンベ６より噴出した炭酸ガスが接続金具４を経由し、絞り５の開放端より放出される。そして、絞り５の開放端より放出された炭酸ガスは、給湯管１より流入した湯水と接触、溶解して湯水とともに噴出口３から炭酸水シャワー８となって噴出するというものであった。
【０００６】
【発明が解決しようとする課題】
しかしながら、従来のシャワー装置ではハンドシャワーであるため、部分的にしか浴びることができないため、炭酸水による血行促進が図りにくかった。また、全身に浴びるようとしても、常に手を動かす必要があり、リラックスして炭酸水を浴びることができなかった。
【０００７】
また、ハンドシャワーであるため使用湯量が多く、炭酸ガスの濃度を確保するために炭酸ガスの使用量が多くなり、炭酸ガスボンベを頻繁に交換しなければならなかった。
【０００８】
さらに、局部的に血行促進を図ろうとしても、ハンドシャワーでは使用湯量が多くなるとともに、その狭い範囲でしか行えなかった。
【０００９】
また、従来の浴槽システムの中には浴槽内に炭酸ガスを混入するものが見られるが、これは浴槽内で水圧を受けるため心臓への負担が大きいという課題があった。加えて、浴槽では血行が促進され体温が上昇しても、浴槽内の湯温をすぐに変更できず身体が火照って不快を感じるとともに、水を追加する必要があるため利便性が悪かった。さらに、温泉浴等を行いたい高齢者にとっては浴槽内への入浴はまたぎこみ動作等を伴い、身体的な負担が大きかった。
【００１０】
【課題を解決するための手段】
本発明は前記する課題を解決するために、一対のアームを有するシャワー装置本体と、これらアーム、およびシャワー装置に配備され、温水を旋回霧状に噴霧する複数のノズルと、前記ノズルへ至る温水供給系に設けられ、温水に炭酸を溶解させるか、或いは炭酸ガスを混入させる炭酸供給手段と、この炭酸供給手段の作動を発停させる炭酸発停手段とを具備し、炭酸発停手段が炭酸供給手段を作動させている時、温水の温度を炭酸供給手段停止時の温度よりも低下させるようにしたものである。
【００１１】
従って、湯水に炭酸を溶解し、複数の温水噴出手段から身体各所へ噴出するので、全身の血行が促進され温まり感を得られるとともに、湯水を浴びる際に手を使わないので、楽に入浴が可能となる。
【００１２】
【発明の実施の形態】
本発明のシャワー装置は、一対のアームを有するシャワー装置本体と、これらアーム、およびシャワー装置に配備され、温水を旋回霧状に噴霧する複数のノズルと、前記ノズルへ至る温水供給系に設けられ、温水に炭酸を溶解させるか、或いは炭酸ガスを混入させる炭酸供給手段と、この炭酸供給手段の作動を発停させる炭酸発停手段とを具備し、炭酸発停手段が炭酸供給手段を作動させている時、温水の温度を炭酸供給手段停止時の温度よりも低下させるようにした。そのため、全身の血行が促進され温まり感を得られるとともに、湯水を浴びる際に手を使わないので、楽に入浴が可能となる。
【００１３】
そして、炭酸供給手段を作動させた時、徐々に温水の温度を低下させれば、より快適なシャワー温浴が可能となる。
【００１４】
加えて、複数のノズルへ至る温水供給系に選択的に炭酸を供給するようにしておけば、使用者の必要な部分のみに炭酸温水の噴出ができることとなる。
【００１５】
以下、本発明の実施例１を図面を参照しながら説明する。
【００１６】
（実施例１）
図１は本発明の実施例１のシャワー装置を浴室内に取り付けた状態の斜視図であり、図２は同シャワー装置の配管経路図である。
【００１７】
図１において、シャワー装置本体１１は、浴室１２の洗い場１３に面した壁面１４に取り付けられている。１５はサーモバルブであり、カラン１６から浴槽内への湯張りを行い、湯温調節、流量調節が可能となっている。
【００１８】
シャワー装置本体１１において、１７は上下方向に回転自在に設けられた着座手段である椅子であり、使用者が座って湯水を浴びれるようになっており、また、未使用時には本体側に回転し収納可能となっている。また、１８は回転自在に設けられたアームであり、使用者が座って湯水を浴びる場合には、図１に示すようにセットされ、未使用時には壁面１４の方向に回転して収納可能であり、シャワー装置本体１１を使用しない場合には、浴室１２の洗い場を広く使えるとともに、視覚的な圧迫感を防止している。
【００１９】
アーム１８には、左右対称に温水噴出手段であるノズル１９、２０、２１が設けられており、それぞれ先端から脚部、腹部、胸部周辺に湯水を噴出できるように配置されている。また、シャワー装置本体１１のカバー２２にも左右対称に温水噴出手段であるノズル２３、２４が設けられており、それぞれ背部、腰部周辺に湯水を噴出できるように配置されている。ここで、カバー２２は、使用者の着座時の背もたれとしても利用されるので、腰部のノズル２４は身体と所定以上の距離を設けるため凹部２５に設けられている。
【００２０】
ノズル１９、２０、２１、２３、２４は、全身を包み込むために湯水を霧状に噴霧するように構成されており、その断面図を図３（ａ）に示す。ノズル１９、２０、２１、２３、２４には、湯水が流入する流入口２６と旋回チップ２７と噴出口２８が設けられている。旋回チップ２７には、図３（ｂ）に示すように同一円周上に３カ所の流体に旋回力を与える旋回孔２９と、旋回孔の略中心に旋回流の中心軸流れを形成する中心孔３０が設けられている。３１は、旋回チップ２７下流側に設けられ、旋回孔２９で旋回されたそれぞれの旋回流が混同する旋回室であり、旋回流を安定させている。そして、湯水は旋回流と中心軸流れをもって噴出口２８から噴出されるため、霧状となって広範囲に渡って人体を包み込む。なお、本実施例では、旋回孔２９の数を３カ所としているとともに、中心軸流れを形成する構成としているが、湯水を霧状にかつ広範囲に噴霧できる構成であればこれに限らない。
【００２１】
シャワー装置本体１１の水回路は、図２に示すようになっている。湯水の供給路である給湯管３２と給水管３３は湯水の混合比を調節し湯温を調節する混合弁３４に連通している。混合弁３４は、図１に示す湯温調節つまみ３５を回転することにより、湯水の弁開度が調節され湯温が調節されるようになっている。
【００２２】
混合弁３４の下流には炭酸溶解手段３６が設けられており、湯温調節された湯水に炭酸ガスを溶解する。炭酸溶解手段３６は、図４に示すように湯水の配管を炭酸ガスのみを選択透過する材質で構成した炭酸ガス分離手段３７と、空気を加圧して炭酸ガス分離手段３７の周辺の圧力を所定以上とする加圧手段３８からなっている。すなわち、浴室内の空気を加圧手段３８により吸引、加圧することにより、空気中の炭酸ガスのみが炭酸ガス分離手段３７を通過し、水中に溶解される。
【００２３】
炭酸溶解手段３６の下流に切替弁３９が設けられ、ハンドシャワー４０と、ノズル１９、２０、２１、２３、２４からなるミストシャワー４１の切り替えが行える。また、切替手段３９の操作部となる操作つまみ４２（図１参照）により止水、流量調節が行えるようになっている。
【００２４】
炭酸溶解手段３６は、操作つまみ４２と連動しており、操作つまみ４２によりハンドシャワー４０またはミストシャワー４１が開成されると作動する。
【００２５】
以上の構成において本実施例の作用、動作について説明する。
【００２６】
操作つまみ４２によりハンドシャワー４０またはミストシャワー４１を開成すると湯水がそれぞれ混合弁３４に供給され、混合弁３４では湯温調節つまみ３５で設定された湯温に湯水が混合される。操作つまみ４２が開成されると同時に炭酸溶解手段３６が作動するので、炭酸溶解手段３６を通過する湯水に炭酸ガスが供給される。このとき、加圧手段３８は浴室内の空気を吸引し、炭酸溶解手段３６内の圧力を所定の値以上としている。
【００２７】
従って、空気中の炭酸ガスを利用し、炭酸ガスのみを通過する炭酸ガス分離手段３７から湯水に炭酸ガスが供給され、湯水に溶解するので炭酸ガスを供給するボンベ等が不要となる。湯水に溶解している濃度は、炭酸ガス分離手段３７を通過する炭酸ガスの量に依存するため、濃度を調節する際には加圧手段３８により炭酸溶解手段３６内の圧力を調節して制御できる。従って、炭酸濃度の増加に伴い増進される血行促進作用を使用者に応じて調整できる。
【００２８】
炭酸が溶解した湯水は、操作つまみ４２により選択された側に切替弁を介して供給され、選択されたハンドシャワー４０またはミストシャワー４１から噴出される。ミストシャワー４０を使用する場合、湯水はノズル１９、２０、２１、２３、２４において旋回孔２９により旋回力を持つとともに、中心孔３０により中心の軸流れが形成されるので、ノズルごとの流量が少なくても、霧状で噴出される。また、旋回力を有しており、噴霧角度が大きく、かつ、広範囲の噴霧の流量分布を均一とすることができ、少ない流量でも身体全体を霧状の湯水で包み込めるようになっている。
【００２９】
炭酸が溶解した湯水が身体に当たると皮膚から炭酸成分が吸収されることによって、血管が拡張し、血行が促進するので、身体が充分に温まるとともに、体内の老廃物が減少し疲れやこりなどを回復できる。身体全体を霧状の湯水で包み込むこと、細部にまで湯水があたり身体に湯水で幕を形成する状態となることなどから、あたかも炭酸泉に入浴したような効能が、浴槽に入ることなく実現できる。
【００３０】
また、ミストシャワー４１を使用する場合には、椅子１７とアーム１８を図１に示すようにセットし、着座した楽な状態で身体全体を霧状の湯水で包み込め、浴槽内に入る際のまたぎこみ動作や水の静圧を受けることがなく、身体への負担を軽減している。
【００３１】
ハンドシャワー４０は、入浴者が自由に使用することができ、例えば炭酸ガスを溶解することにより、弱酸性となった湯水で洗髪することも可能である。
【００３２】
ミストシャワー４１を浴びないときには、可動式となっている椅子１７とアーム１８を浴室壁面１４側に収納した状態とすることで、洗い場を広く使うことができ、視覚的な圧迫感を防止できる。
【００３３】
なお、混合弁４０の上流側に湯水の流量センサを設けて、湯水の流量に応じて加圧手段３８により加圧される炭酸溶解手段３６内の圧力を調整すれば、ほぼ一定の炭酸濃度が実現できる。
【００３４】
また、本実施例の形態に関わらず、炭酸を溶解した湯水を霧状に噴出するノズルを身体を包み込むように配置したシャワーブースであれば、血行促進や疲労回復について同様の効果が得られる。
【００３５】
（実施例２）
次に、本発明の実施例２を図５〜図７を参照しながら説明する。
【００３６】
図５は実施例２のシャワー装置の配管経路図であり、図６は操作部の外観図である。実施例２において、実施例１と異なるの点のみ説明する。混合弁３４は、操作部であるリモコン４３の温度調節ボタン４４、４５により設定された温度に湯水を混合する。このとき、混合弁３４は制御手段４６により制御され、制御手段４６は混合弁３４下流に設けられたサーミスタ４７により検出された湯温と温度調節ボタン４４、４５により設定された温度が一致するようにフィードバック制御を行う。
【００３７】
炭酸溶解手段３６による湯水への炭酸の溶解は、リモコン４３の選択手段である炭酸供給ボタン４８の選択により行われる。４９はタイマー手段で、切替弁３９がミストシャワー４１側に開成されているときに、炭酸供給ボタン４８が選択されると一定時間後に信号を制御手段４６に出すものであり、制御手段４６はタイマー手段４９からの信号があると、混合弁３４による湯水の混合湯温を所定の温度ｔ℃程下げるように作動する。このとき、同時に温度調節ボタン４４、４５により設定されていた設定温度をｔ℃変更し、温度表示部に表示する。
【００３８】
ハンドシャワー４０とミストシャワー４１の切替はリモコン４３のハンドシャワー開成ボタン５０とミストシャワー開成手段５１によって行う。またそれぞれの流量調節は流量調節ボタン５２、５３によって行われ、閉止は閉止ボタン５４によって行われる。
【００３９】
ミストシャワー４１のそれぞれのノズル１９、２０、２１、２３、２４は切替弁３９とノズル切替弁５５を介して連通している。ノズル切替弁５５は各ノズル１９、２０、２１、２３、２４と切替弁３９からの流路５６の開閉を制御する弁ユニットとなっている。
【００４０】
また、ノズル切替弁５５は、リモコン４３に設けられたノズル選択手段５７、５８、５９、６０、６１が選択されると、制御手段４６により駆動され、それぞれに対応するノズル１９、２０、２１、２３、２４の開閉操作を行う。本実施例では、肩部ノズル選択手段５７によりノズル２３が、腰部ノズル選択手段５８によりノズル２４が、胸部ノズル選択手段５９によりノズル２１が、腹部ノズル選択手段６０によりノズル２０が、脚部ノズル選択手段６１によりノズル１９がそれぞれ開閉される。制御手段４６はノズル切替弁５５をすべてのノズルが閉止しないように作動している。
【００４１】
また、炭酸濃度を調節する炭酸濃度上昇ボタン６２と炭酸濃度下降ボタン６３がリモコン４３に設けられており、炭酸濃度上昇ボタン６２と炭酸濃度下降ボタン６３が選択されると、加圧手段３８（図４参照）による炭酸溶解手段３６内の圧力を増減して、湯水への炭酸溶解量を調節している。
【００４２】
以上構成において作用、動作を説明する。
【００４３】
ハンドシャワー開成ボタン５０またはミストシャワー開成ボタン５１が選択されると、制御手段４６により切替弁３９が選択されたシャワー側に開成される。
【００４４】
ミストシャワー４１側が開成され使用者が湯水を浴びている際に、炭酸供給ボタン４８が選択されたときの湯温の変化を図７に示す。
【００４５】
ミストシャワー４１側が開成されると、使用者が設定した温度に混合弁３４で湯水が混合されている。炭酸供給ボタン４８が選択されるとタイマー手段４９が作動するが、使用者が湯温を下げても寒いと感じる一定時間は温度調節ボタン４４、４５により設定された状態で湯水が噴霧され、湯温および炭酸の血行促進により身体を温める。タイマー手段４９から一定時間後に信号を受けると制御手段４６は混合弁３４での湯水の混合比を徐々に調節し、出湯湯温をｔ℃下げる。
【００４６】
すなわち、湯温および炭酸の血行促進により身体が温まった後に、同一の状態で浴び続けると逆に身体が温まりすぎておこる、シャワー後に不快感を防止している。また、低温でも炭酸泉であれば身体が温まることから、長時間浴びても入浴疲れを起こすことなく、疲労やこりを回復できる。ここで、ｔの値は１℃から１０℃程度の間で使用者の好みに応じた値で設定できるようにしてもよい。さらに、湯温を下げることによって炭酸の溶解度が高くなり、より高濃度の炭酸水を得ることができる。
【００４７】
なお、本実施例ではミストシャワー４１開成直後に炭酸供給ボタン４８を選択した場合を想定した構成となっているが、図７の破線で示すように炭酸供給ボタン４８を選択した直後に混合湯温をｔ℃変更したり、タイマー手段４９の設定時間を調節できる構成とすれば、使用者の好みに対応することができる。また、炭酸供給ボタン４８の操作に関係なく、混合湯温をｔ℃下げる操作ボタンを設けてもよい。
【００４８】
炭酸ガスの混入、溶解により、湯温が低下しすぎる場合には、逆に湯温を上げることができるように切り替えを行ってもよい。
【００４９】
また、ミストシャワー４１側が開成されている状態で、ノズル選択手段５７〜６１を選択すると、そのノズル選択手段に対応したノズル流路が閉じられて、湯水の噴霧が停止される。そして、噴霧が停止しているノズルのノズル選択手段を再度選択すると、湯水の噴霧が再開される。従って、使用者が部分浴、例えば脚欲など行いたい場合には脚部ノズル選択手段６１以外を選択して、ノズル１９のみから湯水を噴霧することができる。
【００５０】
また、炭酸供給ボタン４８を選択して、例えば、肩、腰、脚など疲労が溜まりやすい部位の部分浴を行い、好みに応じた部位の疲労回復を行うことができる。さらに、外傷などで部分的に湯水をかけることができない使用者でも、手を使う必要がなく、炭酸水による疲労回復を行うことができる。
【００５１】
なお、本実施例では、左右対称な位置のノズルごとに開閉選択ができるようにしているが、１つのノズル毎や、左右のノズル毎といった必要に応じた分け方でもよい。
【００５２】
（実施例３）
次に、本発明の実施例３を図８および図９を参照しながら説明する。
【００５３】
図８は実施例３の配管経路図であり、図９は操作部の外観図である。実施例３において、実施例１と異なるの点のみ説明する。
【００５４】
ノズル１９、２０、２１、２３、２４は、切替弁３９からの流路５６からそれぞれ分岐して接続されている。ノズル１９、２０、２１、２３、２４と流路５６の間には、炭酸ガスを湯水中に混入する炭酸混入手段６２が設けられている。炭酸ガス混入手段６２は図９に示すように、炭酸ガスの供給路６３を開閉する電磁弁６４と、湯水の配管中に開放部を有する混入管６５から構成されている。
【００５５】
すなわち、炭酸ガスをノズル１９、２０、２１、２３、２４のそれぞれに混入する際には電磁弁６４が開放され、加圧された炭酸ガスが供給される。炭酸混入手段６２への炭酸ガスは、炭酸ガスのみを選択透過する材質で構成した炭酸ガス分離手段６６を介して空気を加圧手段６７により吸引して得ており、加圧手段６７により加圧されて供給される。
【００５６】
混入管６５の先端には、炭酸ガスが微細な気泡として湯水中に混入されるように多数の孔を有するフィルター６８が設けられ、炭酸ガスの混入されたときの接触面積を増加し、湯水への溶解を促進している。
【００５７】
切替弁３９とハンドシャワー４０の間にも炭酸混入手段６２が設けられ、ハンドシャワー４０を使用する際にも、炭酸を混入した湯水を出すことのできる構成となっている。
【００５８】
以上構成において作用、動作を説明する。
【００５９】
使用者がハンドシャワー４０またはミストシャワー４１を浴びるために切替弁３９を開成すると、混合弁３４により設定された温度に混合された湯水が、ハンドシャワー４０またはミストシャワー４１に供給される。
【００６０】
切替弁３９が開成され、実施例２で示したような操作部において炭酸の混入が選択されると、加圧手段６７により炭酸ガス分離手段６６を介して炭酸ガスが吸引され、ガス供給管６３内の圧力が上昇する。そして、ハンドシャワー４０またはミストシャワー４１側の炭酸混入手段６２の電磁弁６４が開放され、混入管６５より炭酸ガスが湯水に混入される。このとき、炭酸ガスはフィルター６８を介して各孔径程度の微細な気泡として湯水に供給されるので、炭酸ガスの湯水との接触面積が大きくなり炭酸ガスが溶解しやすくなる。
【００６１】
炭酸ガスの微細な気泡が混入されるとともに、炭酸ガスの溶解した湯水は、分岐されてノズル１９、２０、２１、２３、２４に供給されるが、炭酸ガスの微細な気泡を分岐された一つ一つのノズルにほぼ均等に供給することができる。
【００６２】
また、供給された湯水は、ノズル１９、２０、２１、２３、２４内部で旋回されるので、混入された炭酸ガスがさらに溶解される。そして、炭酸ガスの微細な気泡が混入されるとともに、炭酸ガスの溶解した湯水がノズル１９、２０、２１、２３、２４から霧状に噴霧されると、炭酸ガスの溶解した湯水が身体を包み込み、血行を促進することによって、疲労の回復が図れる。
【００６３】
また、微細な炭酸ガスの気泡が、湯水とともに身体を包み込み、皮膚と接触するので、炭酸ガスの皮膚への吸収が促進され、疲労回復の効能を向上できる。
【００６４】
また本実施例では、脚部、腹部、肩部、背部、腰部に対応したノズル１９、２０、２１、２３、２４に、それぞれ炭酸混入手段６２を設けており、使用者の好みに応じた部位のノズルから噴出する湯水のみに炭酸ガスを混入することが可能であり、全身を湯水で包み込みながら、部分的な疲労回復を図ることができる。加えて、炭酸ガスを供給するノズル数が少なくなることで、炭酸ガス混入量が増加するので、より効率的に部分的な疲労回復を図ることができる。
【００６５】
なお、本実施例では炭酸混入手段６２としているが、これを炭酸溶解手段にしても同様の効果が得られる。
【００６６】
また、本実施例では切替弁３９下流側にノズル１９、２０、２１、２３、２４に対応して炭酸混入手段６２を設けているが、切替弁３９上流側に炭酸混入手段を設ければ、各ノズル毎に炭酸混入の選択はできないが、炭酸混入手段が１つでよく、同様の効果を得ることができる。
【００６７】
また、図１０に示すように一般に疲労度が大きい肩部、背部、腰部に対応したノズル２１、２３、２４のみに炭酸供給手段６２を設けた構成とすれば、必要炭酸量が軽減され、炭酸ガス分離手段６６や加圧手段６７の負荷を軽減できる。そして、全身を包み込む霧状の湯水を浴びながら、リラックスして効率的に疲労回復を図ることができる。
【００６８】
また、実施例１〜３のミストシャワー４１において使用したノズルは霧状で広範囲かつ均一に湯水を噴出するので、身体全体を湯水で包み込んでもハンドシャワー４０で使用する流量（８〜１０Ｌ／分）より少ない流量とすることができる。従って、同一炭酸ガス量であれば、ハンドシャワー４０側に比べて、ミストシャワー４１側では高濃度の炭酸水を浴びることができる。
【００６９】
なお、上記各実施例では、空気中の炭酸ガスを分離する炭酸ガス分離手段を設けた構成としたが、湯水の中に炭酸を供給する物として、炭酸ガスボンベや炭酸を供給する固形または液状の炭酸供給剤を使用しても、取り替え等のメンテナンスの必要性を除いては、同等の効果が得られる。
【００７０】
また、炭酸溶解手段や炭酸混入手段は各実施例で図示した以外にも給湯管３２、給水管３３を含む部分から各ノズル１９、２０、２１、２３、２４に至る湯水の供給路のいずれか適所に設ければよいものであり、要はノズルから噴霧される湯水に炭酸ガスが混入、溶解されるようになっていればよいものである。
【００７１】
以上説明した各実施例の特長をここでまとめると以下の通りとなる。
【００７２】
（１）シャワー装置本体と、複数の温水噴出手段と、湯水の供給路と、供給路に設けられ湯水に炭酸を溶解する炭酸溶解手段とを有するものであり、炭酸溶解手段により炭酸ガスを溶解された湯水が、複数の温水噴出手段から身体各所へ噴出し、その湯水が当たっている周辺の血管を拡張し、血行を促進することにより、全身の血行が促進され温まり感が得られるとともに、湯水を浴びる際に手を使わないので、楽に入浴が可能となる。
【００７３】
（２）シャワー装置本体と、複数の温水噴出手段と、湯水の供給路と、供給路に設けられ湯水に炭酸ガスを混入する炭酸混入手段とを有する構成であり、炭酸混入手段により炭酸ガスを湯水に混入することで、湯水に炭酸ガスの気泡が混入されるとともに炭酸ガスが湯水に溶解され、複数の温水噴出手段から身体各所へ湯水とともに炭酸ガスを噴出するので、その湯水が当たっている周辺だけでなく、炭酸ガスにより包まれた周辺の血管を拡張し、血行を促進することにより、全身の血行が促進され温まり感を得ることができるとともに、湯水を浴びる際に手を使わないので、楽に入浴が可能となる。
【００７４】
（３）シャワー装置本体と、入浴者が着座する着座手段と、複数の温水噴出手段と、湯水の供給路と、供給路に設けられ湯水に炭酸を溶解する炭酸溶解手段とを有する構成であり、着座手段に着座した状態で、炭酸ガスを溶解された湯水が複数の温水噴出手段から身体各所へに噴出し血行を促進するので、浴槽内に入るまたぎこみ動作等が不要となり、身体への負担を軽減できる。また、着座手段に座ることでゆったりとリラックスできるとともに、使用者がほぼ同位置に着座し、温水噴出手段からの湯を確実に身体に当てることができる。
【００７５】
（４）シャワー装置本体と、入浴者が着座する着座手段と、複数の温水噴出手段と、湯水の供給路と、供給路に設けられ湯水に炭酸ガスを混入する炭酸混入手段とを有する構成であり、着座手段に着座した状態で、炭酸ガスの混入された湯水が炭酸ガスとともに複数の温水噴出手段から身体各所へに噴出し血行を促進するので、浴槽内に入るまたぎこみ動作等が不要となり、身体への負担を軽減できる。また、着座手段に座ることでゆったりとリラックスできるとともに、炭酸ガスがより確実にかつ広範囲に当たるので、効率よく血行促進が図れ、身体全体を暖めることができる。
【００７６】
（５）湯水噴出手段が入浴者の全身を包み込むように配置された構成であり、身体全体が炭酸の溶解された湯水、または、炭酸ガスで包み込まれるので、確実に血行促進が図れるとともに、血行促進が促される前でも好適に湯水を浴びることができる。
【００７７】
（６）炭酸混入手段は、炭酸ガスを湯水に微細な気泡として供給する構成としたものであり、炭酸ガスが微細な気泡となっているので、湯水とともに微細な気泡が温水噴出手段に均等に供給され、各温水噴出手段からの湯水または炭酸ガスによる血行促進効果の偏りがなくなり、各部位を均等に温めることができる。また、温水噴出手段で気泡混入による断続的な噴流を防止することができるので、好適に湯水を浴びることができる。さらに、微細な気泡とすることで炭酸ガスと湯水の接触面積が拡大し、炭酸ガスの湯水への溶解量が増加するので、炭酸ガスだけでなく炭酸の溶解した湯水により血行が促進される。
【００７８】
（７）温水噴出手段上流側に炭酸ガスを通すフィルターを設けて構成したものであり、炭酸ガスを微細化し、炭酸ガスと湯水の接触面積が拡大することによって、溶解を促進させるので、炭酸ガス量が少なくても湯水の炭酸濃度を上げることができる。
【００７９】
（８）炭酸溶解手段または炭酸混入手段が、複数の温水噴出手段のうち任意の温水噴出手段から噴出する湯水に炭酸を溶解または混入する構成としたものであり、使用者が血行を促進したい部位に湯水を噴出している温水噴出手段のみに炭酸ガスを溶解または混入するので、必要な炭酸ガス量を抑えることができ、少量の炭酸ガスで使用者の望む部位の血行を促進できる。また、炭酸ガスを混入または溶解させない湯水噴出手段からも湯水を噴出するので身体全体を温めながら局部的に血行促進を図ることができる。
【００８０】
（９）炭酸溶解手段または炭酸混入手段が、肩部、腰部、脚部に対応した温水噴出手段の少なくとも一カ所から噴出する湯水に炭酸を溶解または混入する構成としたものであり、人が最も疲労やこりを感じる肩部、腰部、脚部に対応した温水噴出手段から炭酸ガス溶解または混入した湯水を噴出するので、肩部、腰部、脚部の血管が拡張され、血行が促進し、疲労およびこりをとることができるとともに、身体全体を温めることができる。
【００８１】
（１０）複数の温水噴出手段のうち少なくとも一つの温水噴出手段を選択して、湯水を噴出できる構成としたものであり、使用者が血行を促進したい部位に対応した温水噴出手段を選択し、その温水噴出手段からだけ炭酸ガス溶解または混入した湯水を噴出し、他の温水噴出手段からの湯水の噴出を停止するので、使用者が疲れやこりを感じた部位のみの血行促進を図ることができ、かつ、必要以上に湯水を使用しないので、節水効果がある。
【００８２】
（１１）温水噴出手段は、湯水を霧状に噴出する構成としたものであり、霧状の湯水とすることにより、湯水噴出手段から噴出される湯水の流量が少なくても、広範囲に渡って湯水を噴霧でき節水効果があるとともに、柔らかい噴霧で湯水が肌に当たるので、好適に湯水を浴びることができる。また、湯水がきめ細かい噴霧により湯水噴出手段に対応した部位に当たるので、湯水または炭酸ガスで各部位をむらなく包み込むことができる。
【００８３】
（１２）炭酸溶解手段または炭酸混入手段が、空気中の炭酸ガスを分離、回収する炭酸ガス分離手段を有するものであり、空気中の炭酸ガスを利用するので、炭酸ガスボンベなどの炭酸ガス容器が不要となり、小型化が図れるとともに、メンテナンスなどの必要もなくなる。また、密閉された室内での炭酸ガス濃度も上昇しないため、安全性の向上が図れる。
【００８４】
（１３）湯水に炭酸ガスが溶解または混入されると、湯水を所定の温度変更する構成としたものであり、湯温を上昇させれば炭酸ガスによる湯温低下を防止することができるとともに、湯温を下げれば炭酸ガスの溶解量が増加し、より高濃度の炭酸水を得ることができる。
【００８５】
（１４）炭酸ガスの溶解または混入の有無を選択する選択手段を設け、選択手段により炭酸ガスの溶解または混入が選択された場合に湯水を所定の温度変更する構成としたものであり、炭酸ガスの溶解または混入の有無を選択する選択手段により、炭酸ガスの溶解または混入が選択されると、混合弁での湯水の混合比を所定の温度に変更するので、炭酸の血行促進効果による温まりすぎを防止でき、快適に血行促進による疲労回復を図れる。また、炭酸ガスが湯水に溶解しやすく、炭酸濃度を上げることができる。さらに、外乱による温度変動が生じても、高温の湯がでる可能性がない。
【００８６】
（１５）炭酸ガスの溶解または混入の有無を選択する選択手段と、選択手段により炭酸ガスの溶解または供給が選択されると作動するタイマー手段を設け、タイマー手段が所定時間作動した後、湯水を所定の温度変更する構成としたものであり、炭酸ガスの溶解または混入の有無を選択する選択手段により、炭酸ガスの溶解または混入が選択されると、タイマー手段が所定時間作動した後、混合弁での湯水の混合比を所定の温度に変更するので、湯水を浴び始めた時点では湯温および炭酸による血行促進で身体を温め、身体を温まった所定時間後に湯水を所定の温度にして、炭酸による血行促進を図りながら温まりすぎを防止することができる。
【００８７】
【発明の効果】
このように本発明によれば、入浴者の血行を促進して健康増進に役立つとともに、シャワーを浴びる際に手を使わないので、楽に入浴が可能となり、その使用性を大いに高めることができるものである。
【図面の簡単な説明】
【図１】  本発明の実施例１におけるシャワー装置の斜視図
【図２】  同シャワー装置の配管経路図
【図３】  （ａ）同シャワー装置のノズルの断面図
（ｂ）同シャワー装置の旋回チップの正面図
【図４】  同シャワー装置に用いた炭酸溶解手段の部分断面図
【図５】  本発明の実施例２におけるシャワー装置の配管経路図
【図６】  同シャワー装置の操作部の外観図
【図７】  同シャワー装置の動作説明図
【図８】  本発明の実施例３のシャワー装置の配管経路図
【図９】  同シャワー装置に用いた炭酸混入手段の部分断面図
【図１０】  本発明の実施例３における他の例を示すシャワー装置の配管経路図
【図１１】  従来のシャワーヘッドの斜視図
【符号の説明】
１１  シャワー装置本体
１７  椅子（着座手段）
１９、２０、２１、２３、２４  ノズル（温水噴出手段）
３２  給湯管（供給路）
３３  給水管（供給路）
３４  混合弁
３６  炭酸溶解手段
３７  炭酸ガス分離手段
４８  炭酸供給ボタン（選択手段）
４９  タイマー手段
５６  流路（供給路）
６２  炭酸混入手段
６４  電磁弁
６５  混入管
６６  炭酸ガス分離手段
６８  フィルター
【図１】
0003791093.tif 000002
【図２】
0003791093.tif 000003
【図３】
0003791093.tif 000004
【図４】
0003791093.tif 000005
【図５】
0003791093.tif 000006
【図６】
0003791093.tif 000007
【図７】
0003791093.tif 000008
【図８】
0003791093.tif 000009
【図９】
0003791093.tif 000010
【図１０】
0003791093.tif 000011
【図１１】
0003791093.tif 000012